(57)【特許請求の範囲】
【請求項１】
検査予約を行うための予約元端末装置と通信ネットワークを介してデータ送受信可能に接続される検査予約サーバーであって、
検査予約が可能な医療施設及びその医療施設に属する診療科の検査予約が可能な検査装置及び医師の情報を含む施設情報と、前記検査予約が可能な医療施設に属する検査装置及び医師の検査予約スケジュールを示す予約スケジュール情報と、予約済み検査の予約日時、予約先情報、予約元情報、及び患者情報を含む検査予約情報と、を記憶する記憶手段と、
前記予約元端末装置からの要求に応じて、前記記憶手段に記憶されている検査予約情報の一覧を表示する予約リスト画面を作成し前記予約元端末装置に送信する予約リスト画面作成手段と、
前記予約元端末装置において前記予約リスト画面から検査予約情報が選択され検査の予約画面の送信が要求された場合に、前記記憶手段に記憶されている予約スケジュール情報に基づいて、新規検査予約の登録及び予約状況の確認のための予約時間枠が並べて表示された予約画面であって、前記選択された検査予約情報における予約日時の、前記選択された検査予約情報において予約先として指定されている検査装置又は医師に対する予約時間枠が表示された状態の予約画面を作成し前記予約元端末装置に送信する予約画面作成手段と、
を備える検査予約サーバー。
【請求項２】
前記予約画面は、前記選択された検査予約情報において予約先として指定されている検査装置又は医師に対する一又は複数日付の予約時間枠を表示する画面である請求項１に記載の検査予約サーバー。
【請求項３】
前記予約画面は、前記選択された検査予約情報において予約先として指定されている医療施設の、予約可能な検査装置又は医師に対する予約時間枠を日付単位で一覧表示する画面である請求項１に記載の検査予約サーバー。
【請求項４】
前記予約画面は、前記選択された検査予約情報において予約先として指定されている診療科及び検査装置に対する予約時間枠を医療施設を跨いで一覧表示する画面である請求項１に記載の検査予約サーバー。
【請求項５】
前記予約画面には、前記選択された検査予約情報において予約先として指定されている検査装置又は医師に対する一又は複数日付の予約時間枠を表示する表示態様、前記選択された検査予約情報において予約先として指定されている医療施設の、予約可能な検査装置又は医師に対する予約時間枠を日付単位で一覧表示する表示態様、前記選択された検査予約情報において予約先として指定されている診療科及び検査装置に対する予約時間枠を医療施設を跨いで一覧表示する表示態様、の何れかの表示態様を選択するための操作ボタンが表示されており、
前記予約画面作成手段は、前記予約元端末装置において選択された表示態様の予約画面を作成して前記予約元端末装置に送信する請求項１に記載の検査予約サーバー。
【請求項６】
前記予約画面作成手段は、前記予約元端末装置から新規予約登録の要求が受信された場合は、前記記憶手段に記憶されている施設情報に基づいて、検査予約可能な医療施設の一覧を作成して前記予約元端末装置に送信し、前記予約元端末装置から選択された医療施設に係る予め定められた日付の予め定められた検査装置又は医師に対する予約時間枠が表示された予約画面を前記予約元端末装置に送信する請求項１〜５に記載の検査予約サーバー。
【請求項７】
検査予約を行うための予約元端末装置と、検査予約サーバーと、が通信ネットワークを介してデータ送受信可能に接続される検査予約システムであって、
前記検査予約サーバーは、
検査予約が可能な医療施設及びその医療施設に属する診療科の検査予約が可能な検査装置及び医師の情報を含む施設情報と、前記検査予約が可能な医療施設に属する検査装置及び医師の検査予約スケジュールを示す予約スケジュール情報と、予約済み検査の予約日時、予約先情報、予約元情報、及び患者情報を含む検査予約情報と、を記憶する記憶手段と、
前記予約元端末装置からの要求に応じて、前記記憶手段に記憶されている検査予約情報の一覧を表示する予約リスト画面を作成し前記予約元端末装置に送信する予約リスト画面作成手段と、
前記予約元端末装置において前記予約リスト画面から検査予約情報が選択操作されるとともに検査の予約画面の送信が指示された場合に、前記記憶手段に記憶されている予約スケジュール情報に基づいて、新規検査予約の登録及び予約状況の確認のための予約時間枠が並べて表示された予約画面であって、前記選択された検査予約情報における予約日時の、前記選択された検査予約情報において予約先として指定されている検査装置又は医師に対する予約時間枠が表示された状態の予約画面を作成し前記予約元端末装置に送信する予約画面作成手段と、
を備える検査予約システム。
【発明の詳細な説明】
【技術分野】
【０００１】
本発明は、検査予約サーバー及び検査予約システムに関する。
【背景技術】
【０００２】
近年、診療所やクリニック等の小規模な医療施設と、ＣＴ（Computed Tomography）や
ＭＲＩ(Magnetic Resonance Imaging)等の高額な検査装置を設置し診療科毎の専門医を有する病院等の医療施設との間で、医療連携が普及しつつある。このような医療連携の普及を背景に、医療施設間での検査予約を通信ネットワークを介して受け付けて管理する検査予約システムが提案されている。
【０００３】
例えば、特許文献１には、予約を受け付ける時間枠と予約状況がカレンダー形式で表示された予約画面を用いる医療検査予約ネットワークシステムが記載されている。
【先行技術文献】
【特許文献】
【０００４】
【特許文献１】特開２００８−２３４３８１号公報
【発明の概要】
【発明が解決しようとする課題】
【０００５】
ところで、検査予約システムにおいては、一般的に、予約した検査を予約元で確認できるように、予約登録された検査予約情報の一覧である予約リストが表示可能である。この予約リストと予約画面のカレンダー表示とは関連性がなく、それぞれ所定の操作に応じて別個に表示されている。
そのため、予約リストにある、既に予約登録された患者について、同じ日に別の検査を追加予約する場合や、例えば、親子等、予約された患者と連続する時間帯に同じ医師による検査を予約する場合等、予約リスト上の検査に基づく予約を行う場合、操作者は、その予約登録された検査の予約日時、予約先の施設、診療科、検査装置又は医師等を記憶して、その記憶を頼りに、デフォルトのカレンダー表示からいくつかのボタン、タブ、スクロールバー等を操作して、目的とする検査の予約時間枠が含まれるカレンダーを表示させる必要があり、操作が煩雑であった。
【０００６】
本発明の課題は、既に予約登録された検査に基づいて検査を予約する場合の操作性を向上させることである。
【課題を解決するための手段】
【０００７】
上記課題を解決するため、請求項１に記載の発明は、
検査予約を行うための予約元端末装置と通信ネットワークを介してデータ送受信可能に接続される検査予約サーバーであって、
検査予約が可能な医療施設及びその医療施設に属する診療科の検査予約が可能な検査装置及び医師の情報を含む施設情報と、前記検査予約が可能な医療施設に属する検査装置及び医師の検査予約スケジュールを示す予約スケジュール情報と、予約済み検査の予約日時、予約先情報、予約元情報、及び患者情報を含む検査予約情報と、を記憶する記憶手段と、
前記予約元端末装置からの要求に応じて、前記記憶手段に記憶されている検査予約情報の一覧を表示する予約リスト画面を作成し前記予約元端末装置に送信する予約リスト画面作成手段と、
前記予約元端末装置において前記予約リスト画面から検査予約情報が選択され検査の予約画面の送信が要求された場合に、前記記憶手段に記憶されている予約スケジュール情報に基づいて、新規検査予約の登録及び予約状況の確認のための予約時間枠が並べて表示された予約画面であって、前記選択された検査予約情報における予約日時の、前記選択された検査予約情報において予約先として指定されている検査装置又は医師に対する予約時間枠が表示された状態の予約画面を作成し前記予約元端末装置に送信する予約画面作成手段と、
を備える。
【０００８】
請求項２に記載の発明は、請求項１に記載の発明において、
前記予約画面は、前記選択された検査予約情報において予約先として指定されている検査装置又は医師に対する一又は複数日付の予約時間枠を表示する画面である。
【０００９】
請求項３に記載の発明は、請求項１に記載の発明において、
前記予約画面は、前記選択された検査予約情報において予約先として指定されている医療施設の、予約可能な検査装置又は医師に対する予約時間枠を日付単位で一覧表示する画面である。
【００１０】
請求項４に記載の発明は、請求項１に記載の発明において、
前記予約画面は、前記選択された検査予約情報において予約先として指定されている診療科及び検査装置に対する予約時間枠を医療施設を跨いで一覧表示する画面である。
【００１１】
請求項５に記載の発明は、請求項１に記載の発明において、
前記予約画面には、前記選択された検査予約情報において予約先として指定されている検査装置又は医師に対する一又は複数日付の予約時間枠を表示する表示態様、前記選択された検査予約情報において予約先として指定されている医療施設の、予約可能な検査装置又は医師に対する予約時間枠を日付単位で一覧表示する表示態様、前記選択された検査予約情報において予約先として指定されている診療科及び検査装置に対する予約時間枠を医療施設を跨いで一覧表示する表示態様、の何れかの表示態様を選択するための操作ボタンが表示されており、
前記予約画面作成手段は、前記予約元端末装置において選択された表示態様の予約画面を作成して前記予約元端末装置に送信する。
【００１２】
請求項６に記載の発明は、請求項１〜５の何れか一項に記載の発明において、
前記予約画面作成手段は、前記予約元端末装置から新規予約登録の要求が受信された場合は、前記記憶手段に記憶されている施設情報に基づいて、検査予約可能な医療施設の一覧を作成して前記予約元端末装置に送信し、前記予約元端末装置から選択された医療施設に係る予め定められた日付の予め定められた検査装置又は医師に対する予約時間枠が表示された予約画面を前記予約元端末装置に送信する。
【００１３】
請求項６に記載の発明は、
検査予約を行うための予約元端末装置と、検査予約サーバーと、が通信ネットワークを介してデータ送受信可能に接続される検査予約システムであって、
前記検査予約サーバーは、
検査予約が可能な医療施設及びその医療施設に属する診療科の検査予約が可能な検査装置及び医師の情報を含む施設情報と、前記検査予約が可能な医療施設に属する検査装置及び医師の検査予約スケジュールを示す予約スケジュール情報と、予約済み検査の予約日時、予約先情報、予約元情報、及び患者情報を含む検査予約情報と、を記憶する記憶手段と、
前記予約元端末装置からの要求に応じて、前記記憶手段に記憶されている検査予約情報の一覧を表示する予約リスト画面を作成し前記予約元端末装置に送信する予約リスト画面作成手段と、
前記予約元端末装置において前記予約リスト画面から検査予約情報が選択操作されるとともに検査の予約画面の送信が指示された場合に、前記記憶手段に記憶されている予約スケジュール情報に基づいて、新規検査予約の登録及び予約状況の確認のための予約時間枠が並べて表示された予約画面であって、前記選択された検査予約情報における予約日時の、前記選択された検査予約情報において予約先として指定されている検査装置又は医師に対する予約時間枠が表示された状態の予約画面を作成し前記予約元端末装置に送信する予約画面作成手段と、
を備える。
【発明の効果】
【００１４】
本発明によれば、既に予約登録された検査に基づいて検査を予約する際の操作性を向上させることができる。
【図面の簡単な説明】
【００１５】
【図１】本発明の実施の形態における検査予約システムの全体構成を示す図である。
【図２】図１のセンターサーバーの機能的構成を示すブロック図である。
【図３】図１の端末装置の機能的構成を示すブロック図である。
【図４】図１の連携ＧＷの機能的構成を示すブロック図である。
【図５Ａ】図１の予約元施設の端末装置とセンターサーバーとの間で実行される検査予約処理の流れを示す図である。
【図５Ｂ】図１の予約元施設の端末装置とセンターサーバーとの間で実行される検査予約処理の流れを示す図である。
【図６】図１の予約元施設の端末装置の表示部に表示される予約リスト画面の一例を示す図である。
【図７】図１の予約元施設の端末装置の表示部に表示される予約カレンダー画面の一例を示す図である。
【図８】図１の予約元施設の端末装置に表示される予約情報入力画面の一例を示す図である。
【図９】ステップＳ１６において予約リスト画面から選択された（ダブルクリックされた）検査予約情報と、ステップＳ１９において表示される予約カレンダー画面との対応関係を示す図である。
【図１０】選択された検査予約情報において予約先として指定されている医療施設の、予約可能な装置又は医師毎の予約時間枠を日付単位で一覧表示した予約カレンダー画面の一例を示す図である。
【図１１】選択された検査予約情報において予約先として指定されている診療科及び検査装置に対する予約時間枠を医療施設を跨いで一覧表示した予約カレンダー画面の一例を示す図である。
【図１２Ａ】予約先モードにおける予約先施設の各装置及びセンターサーバーの動作の流れを示す図である。
【図１２Ｂ】予約先モードにおける予約先施設の各装置及びセンターサーバーの動作の流れを示す図である。
【図１３Ａ】図１の予約先施設の端末装置に表示される受付リスト画面の一例を示す図である。
【図１３Ｂ】図１の予約先施設の端末装置に表示される検査予約情報画面の一例を示す図である。
【図１４】図１の予約先施設の端末装置に表示される検査結果データの確認画面の一例を示す図である。
【発明を実施するための形態】
【００１６】
以下、図面を参照して本発明に係る実施の形態を詳細に説明する。ただし、発明の範囲は、図示例に限定されない。
【００１７】
〔検査予約システム１００の構成〕
まず、構成について説明する。
図１に、本実施の形態における検査予約システム１００のシステム構成例を示す。
図１に示すように、検査予約システム１００は、データセンターに設置されたセンターサーバー１と、検査の予約元の医療施設（予約元施設と呼ぶ）に設置されている施設内システム１０Ａと、病院等の検査の予約先の医療施設（予約先施設と呼ぶ）に設置されている施設内システム１０Ｂと、を備えて構成されている。ここでは、予約元施設を検査設備の十分整っていない施設（例えば、診療所等）とし、予約先施設を大病院等の検査設備の十分整った施設とした場合を例として施設内システム１０Ａ、１０Ｂを図示しているが、予約元施設についてもモダリティや予約先施設と同等の施設内システムを備える構成としてもよい。
【００１８】
施設内システム１０Ａは、端末装置２及び医事会計装置３がＬＡＮ（Local Area Network）等の施設内ネットワークＬＮ１により相互にデータ送受信可能に接続されて構成されている。ＣＲ撮影装置等の検査装置を備える構成としてもよい。施設内システム１０Ａを構成する各装置は、図示しないルーターを介してインターネットＮに接続される。施設内システム１０Ａを構成する装置のうち、少なくとも端末装置２はインターネットＮを介してセンターサーバー１とデータ送受信可能に接続されている。
【００１９】
施設内システム１０Ｂは、端末装置４、連携ＧＷ（Gateway）５、医事会計装置６、オーダー生成装置７、モダリティ８、ＰＡＣＳ（Picture Archiving and Communication System）９がＬＡＮ等の施設内ネットワークＬＮ２により相互にデータ送受信可能に接続されて構成されている。施設内システム１０Ｂを構成する各装置は、図示しないルーターを介してインターネットＮに接続される。施設内システム１０Ｂを構成する装置のうち、少なくとも端末装置４及び連携ＧＷ５は、インターネットＮを介してセンターサーバー１とデータ送受信可能に接続されている。
なお、検査予約システム１００を構成する施設内システムの数や、施設内システムの各装置の数は、特に限定されない。
【００２０】
以下、検査予約システム１００を構成する各装置について説明する。
【００２１】
（センターサーバー１）
センターサーバー１は、データセンターに設置され、医療施設の医師等に検査予約サービスを提供するための検査予約サーバーである。
【００２２】
図２に、センターサーバー１の機能構成例を示す。
センターサーバー１は、図２に示すように、制御部１１、ＲＡＭ１２、記憶部１３、操作部１４、表示部１５、通信部１６、計時部１７等を備えて構成されており、各部はバス１８により接続されている。
【００２３】
制御部１１は、ＣＰＵ（Central Processing Unit）等により構成され、記憶部１３に
記憶されているシステムプログラムをはじめとする各種プログラムを読み出してＲＡＭ１２に展開し、展開されたプログラムに従って各種処理を実行する。例えば、制御部１１は、記憶部１３に記憶されているＷｅｂサーバープログラムＰ１及び検査予約プログラムＰ２に従って、後述する検査予約処理をはじめとする各種処理におけるセンターサーバー側の処理を実行し、予約リスト画面作成手段、予約画面作成手段としての機能を実現する。
【００２４】
ＲＡＭ１２は、制御部１１により実行制御される各種処理において、記憶部１３から読み出された制御部１１で実行可能な各種プログラム、入力若しくは出力データ、及びパラメーター等の一時的に記憶するワークエリアを形成する。
【００２５】
記憶部１３は、ＨＤＤ（Hard Disk Drive）や半導体の不揮発性メモリ等により構成さ
れる。記憶部１３には、前述のように各種プログラムやプログラムの実行に必要なデータが記憶されている。例えば、記憶部１３には、システムプログラムの他、端末装置２、４に搭載されたＷｅｂブラウザーとＨＴＴＰプロトコルによる通信を行ってＷｅｂブラウザーに予約リスト画面２５１（図６参照）、予約カレンダー画面２５２（図７参照）をはじめとする各種Ｗｅｂ画面を提供するＷｅｂサーバーとしての機能を実行するためのＷｅｂサーバープログラムＰ１や、Ｗｅｂサーバー上で動作し、Ｗｅｂブラウザーを介して端末装置２、４のユーザーに検査予約サービスを提供するためのＷｅｂアプリケーションプログラム（検査予約プログラムＰ２とよぶ）等が記憶されている。
【００２６】
また、記憶部１３には、ユーザー管理テーブル１３１、予約可能施設テーブル１３２、予約管理テーブル１３３、予約スケジュールテーブル１３４等の各種テーブルや、予約先の施設内システム１０Ｂから送信された検査結果データ等が記憶されている。検査結果データとは、検査の過程で取得されたデータを指し、例えば、医用画像データ、読影レポート等が含まれる。
【００２７】
ユーザー管理テーブル１３１は、センターサーバー１による検査予約サービスを利用可能なユーザー（医師）に関するユーザー情報を格納するためのテーブルである。ユーザー管理テーブル１３１には、例えば、ユーザーを識別するための「ユーザーＩＤ」、「予約元パスワード」、「予約先パスワード」、「施設ＩＤ」「施設名」、「診療科」、「医師名」、「住所」、「電話番号」、「メールアドレス」等の項目が設けられており、これらの項目の情報からなるユーザー情報のデータが格納されている。ここで、予約元パスワードは、予約元モードでセンターサーバー１にアクセスするためのパスワードである。予約元モードは、検査の予約元として、他の医療施設に検査予約を行ったり、予約した検査の進捗状況や検査結果を閲覧したりするモードである。予約先モードは、検査の予約先として、他の医療施設から予約された検査の一覧を表示したりするモードである。
【００２８】
予約可能施設テーブル１３２は、センターサーバー１による検査予約を受付可能な施設に関する施設情報を格納するためのテーブルである。予約可能施設テーブル１３２には、例えば、施設を識別するための「施設ＩＤ」、「施設名」、「所在地」、「代表医師名」、「代表電話番号」、「診療科」、「予約可能医師名」、「予約可能装置」等の項目が設けられており、これらの項目からなる施設情報のデータが格納されている。「予約可能医師名」、「予約可能装置」は、検査予約サービスを利用して他の医療施設から検査予約可能な医師名、及び検査装置の種類（モダリティ種）である。
【００２９】
予約管理テーブル１３３は、ユーザーにより登録された検査予約情報のデータを格納するためのテーブルである。予約管理テーブル１３３には、例えば、検査予約を識別するための「検査予約ＩＤ」、「予約元情報」（「予約元施設ＩＤ」、「予約元施設名」、「予約元医師ＩＤ」、「予約元医師名」）、「患者情報」（「患者氏名」、「性別」、「生年月日」、「保険番号」等）、「予約先情報」（「予約先施設ＩＤ」、「予約先施設名」、「診療科」、「予約内容」、「予約日時」、「ステータス」等）、「フォルダパス」等の項目が設けられている。
「検査予約ＩＤ」は、端末装置２から検査が予約される毎に発行される検査予約識別情報である。
「予約元情報」は、検査予約を行った予約元の情報である。
「予約先情報」は、検査の予約先の情報である。「予約内容」は、予約された医師又は検査装置（モダリティ。以下、単に装置と呼ぶ）の種類を示す情報（装置・医師情報と呼ぶ）である。「ステータス」は現在の検査の進捗状況を示す情報である。
「フォルダパス」は、予約先施設の施設内システム１０Ｂから送信された当該検査予約情報に基づいて行われた検査の検査結果データを格納するためのフォルダへのパスを示す情報である。
【００３０】
予約スケジュールテーブル１３４は、検査予約が受付可能な医療施設の診療科の、検査予約を受付可能な装置、医師毎の予約スケジュールを示す情報（予約スケジュール情報）を格納するテーブルである。本実施の形態においては、予約スケジュールテーブル１３４には、検査予約可能な医療施設の診療科の、検査予約可能な装置、医師毎に、所定期間先（例えば、６ヶ月先）までのカレンダー枠（日付時間帯枠）が用意されている。予約が可能な日付時間帯枠は予約可能フラグ０、その日付時間帯に予約が入った場合には予約済みフラグ１、診療日でないなど予約が不可能な場合には予約不可フラグ２が格納されるようになっている。デフォルトは予約可能フラグ０が格納されている。
【００３１】
操作部１４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部１１に出力する。
【００３２】
表示部１５は、例えば、ＣＲＴ（Cathode Ray Tube）やＬＣＤ（Liquid Crystal Display）等のモニタを備えて構成されており、制御部１１から入力される表示信号の指示に従って、各種画面を表示する。
【００３３】
通信部１６は、ＬＡＮアダプタ、ルーター、ＴＡ（Terminal Adapter）等を備え、インターネットＮを介して接続された端末装置２、４、連携ＧＷ５等の外部機器との間でデータの送受信を行う。
【００３４】
計時部１７は、ＲＴＣ（Real Time Clock）等により構成され、現在時刻及び現在日付
を計時して制御部１１に出力する。
【００３５】
〔施設内システム１０Ａ内の各装置の構成〕
（端末装置２）
端末装置２は、Ｗｅｂブラウザーを搭載したコンピュータである。
端末装置２は、予約元端末装置として検査予約情報を入力したり、検査予約情報に対応する検査結果データを表示させて医師が診断を行ったりするためのコンピュータである。
【００３６】
端末装置２は、図３に示すように、制御部２１、ＲＡＭ２２、記憶部２３、操作部２４、表示部２５、通信部２６、計時部２７、印刷部２８等を備えて構成され、各部はバス２９等により接続されている。
【００３７】
制御部２１、ＲＡＭ２２、記憶部２３、操作部２４、表示部２５、通信部２６、計時部２７の機能は、それぞれ図２において説明した制御部１１、ＲＡＭ１２、記憶部１３、操作部１４、表示部１５、通信部１６、計時部１７と略同様であるので異なる部分のみ以下に説明する。
【００３８】
制御部２１は、ＣＰＵ等により構成され、記憶部２３に記憶されているシステムプログラム、Ｗｅｂブラウザー２３１、センターサーバー１から提供されるスクリプトをはじめとする各種プログラムをＲＡＭ２２に展開し、展開されたプログラムに従って各種処理を実行する。例えば、制御部２１は、展開されたプログラムに従って、後述する検査予約処理をはじめとする各種処理における端末装置側の処理を実行する。
【００３９】
記憶部２３は、ＨＤＤ（Hard Disk Drive）や半導体の不揮発性メモリ等により構成さ
れる。記憶部２３には、上述のように、制御部２１により実行されるシステムプログラム、Ｗｅｂブラウザー２３１をはじめとする各種プログラムや各種データが記憶されている。
【００４０】
印刷部２８は、制御部２１により出力される印刷データに基づいて、用紙上に画像を印刷し出力する。
【００４１】
（医事会計装置３）
医事会計装置３は、来院した患者の受付登録、会計計算、保険点数計算等を行うためのコンピュータ装置であり、ＣＰＵ等からなる制御部、ＲＡＭ、記憶部、操作部、表示部、通信部、計時部等を備える。記憶部には、患者の「患者ＩＤ」、「氏名」、「生年月日」、「性別」、「年齢」、「住所」、「電話番号」、「被保険者番号」等の患者情報を記憶する患者情報ＤＢを備える。
【００４２】
〔施設内システム１０Ｂ内の各装置の構成〕
（端末装置４）
端末装置４は、図３に示すように、端末装置２と同様の構成を有する、Ｗｅｂブラウザー４３１を搭載したコンピュータである。
端末装置４は、その医療施設に予約された検査についての検査予約情報の表示を行ったり、予約された検査に対して患者が来院した際の受付処理を行ったりするためのコンピュータである。
【００４３】
（連携ＧＷ５の構成）
連携ＧＷ５は、プロトコルの異なるセンターサーバー１と施設内システム１０Ｂとの間のデータ送受信の中継を行う連携装置である。例えば、連携ＧＷ５は、端末装置４を介してセンターサーバー１からの検査予約情報を受信すると、オーダー生成装置７に検査オーダー情報の発行を依頼し、施設内システム１０Ｂに他の医療施設からの検査予約を反映させる処理等を行う。
【００４４】
連携ＧＷ５は、図４に示すように、制御部５１、ＲＡＭ５２、記憶部５３、操作部５４、表示部５５、通信部５６、計時部５７等を備えて構成され、各部はバス５８等により接続されている。各部はそれぞれ図２において説明した制御部１１、ＲＡＭ１２、記憶部１３、通信部１６、計時部１７と略同様であるので異なる部分のみ以下に説明する。
【００４５】
制御部５１は、ＣＰＵ等により構成され、記憶部５３に記憶されているシステムプログラムや各種処理プログラムをＲＡＭ５２に展開し、展開されたプログラムに従って各種処理を実行する。例えば、制御部５１は、展開されたプログラムに従って、図１２Ａ〜図１２Ｂに示す連携ＧＷ５側の処理をはじめとする各種処理を実行する。
【００４６】
また、制御部５１は、発行を依頼をしていない検査オーダー情報がオーダー生成装置７から受信されると、自施設内で予約された検査オーダー情報と判断し、通信部５６により受信された検査オーダー情報に含まれる「診療科」、「装置情報」、「医師情報」、「検査予約日」「予約時間帯」等の情報及び自施設の施設情報（施設名や施設ＩＤ）を予約スケジュール更新情報としてセンターサーバー１に送信する。センターサーバー１においては、連携ＧＷ５から予約スケジュール更新情報が受信されると、予約スケジュールテーブル１３４において、受信した予約スケジュール更新情報で指定された施設、診療科の指定された装置又は医師についての検査予約された日時の日付時間帯枠のフラグを１に更新することで、他の医療施設からのその枠への予約を不可能とする。
【００４７】
記憶部５３は、ＨＤＤ（Hard Disk Drive）や半導体の不揮発性メモリ等により構成される。記憶部５３には、上述のように、制御部５１により実行されるシステムプログラムをはじめとする各種プログラムやプログラムの実行に必要な各種データが記憶されている。
例えば、記憶部５３は、センターサーバー１で登録された検査予約情報の識別情報である検査予約ＩＤと、同一検査についてオーダー生成装置７で発行された検査オーダー情報の識別情報である院内オーダーＩＤとを対応付けて記憶するＩＤ対応付けテーブル５３１（管理テーブル）を有している。
【００４８】
（医事会計装置６）
医事会計装置６は、来院した患者の受付登録、会計計算、保険点数計算等を行うためのコンピュータ装置であり、ＣＰＵ等からなる制御部、ＲＡＭ、記憶部、操作部、表示部、通信部、計時部等を備える。記憶部には、患者の「患者ＩＤ」、「氏名」、「生年月日」、「性別」、「年齢」、「住所」、「電話番号」、「被保険者番号」等の患者情報を記憶する患者情報ＤＢを備える。
【００４９】
（オーダー生成装置７）
オーダー生成装置７は、オペレータによる登録操作又は連携ＧＷ５からの指示に応じて検査オーダー情報を生成し、ＨＤＤ等の記憶装置に記憶するとともに、生成した検査オーダー情報を連携ＧＷ５及びモダリティ８に送信するコンピュータ装置である。検査オーダー情報には、施設内システム１０Ｂ内において検査オーダー情報を識別するための「院内オーダーＩＤ」、「患者ＩＤ」、「患者氏名」、「性別」、「生年月日」、「検査部位」、「装置情報」、「診療科」、「医師情報」「検査予約日」「予約時間帯」等の情報が含まれる。
【００５０】
（モダリティ８）
モダリティ８は、オーダー生成装置７から受信した検査オーダー情報に従って、患者の検査部位を被写体として撮影を行い、撮影した画像をデジタル変換して医用画像を生成する検査装置である。モダリティ８としては、ＣＲ装置、ＣＴ装置、超音波診断装置（ＵＳ）、ＦＰＤ（Flat Panel Detector）、内視鏡、ＭＲＩ等が適用可能である。
また、モダリティ８は、撮影により得られた医用画像の画像データに院内オーダーＩＤ、患者ＩＤ、患者氏名、性別、生年月日、装置・医師情報、検査部位等からなる付帯情報を付与してＤＩＣＯＭ規格に則ったファイル形式の医用画像データを生成し、ＰＡＣＳ９に送信する。
【００５１】
（ＰＡＣＳ９）
ＰＡＣＳ９は、センターサーバー１と同様に、制御部、ＲＡＭ、記憶部、操作部、表示部、通信部、計時部等を備えたコンピュータである。ＰＡＣＳ９は、画像サーバーとして、施設内のモダリティ８等により生成された医用画像データ、読影レポート等の検査結果データを院内オーダーＩＤ及び患者情報と対応付けて記憶部に格納する。
【００５２】
〔検査予約システム１００における動作（予約元モード）〕
次に、動作について説明する。
まず、予約元施設の医師（ユーザー）が予約元モードで端末装置２を利用してセンターサーバー１にアクセスし、検査予約サービスの提供を受ける場合の検査予約システム１００の動作について説明する。予約元モードの動作としては、以下に説明する検査予約処理等がある。
【００５３】
（検査予約処理）
図５Ａ〜図５Ｂに、検査予約処理のフローチャートを示す。なお、検査予約処理における端末装置２における動作は、制御部２１とＷｅｂブラウザー２３１との協働により実行される。センターサーバー１における動作は、制御部１１とＷｅｂサーバープログラムＰ１及び検査予約プログラムＰ２との協働により実行される。
【００５４】
まず、端末装置２において、操作部２４によりセンターサーバー１の検査予約サービスにアクセスするためのＵＲＬが入力されると、通信部２６により、入力されたＵＲＬへのアクセス要求がセンターサーバー１に送信される（ステップＳ１）。
【００５５】
センターサーバー１においては、通信部１６により端末装置２から検査予約サービスにアクセスするためのＵＲＬが受信されると、端末装置２に対し、ログイン画面を表示するための表示用データが送信される（ステップＳ２）。なお、センターサーバー１のＷｅｂサーバー機能により端末装置２に送信されるログイン画面をはじめとする各種Ｗｅｂ画面の表示用データには、ＨＴＭＬ、スタイルシート、画像データ、端末装置２で所定の処理を実行させるためのスクリプト等が含まれる。
【００５６】
端末装置２においては、通信部２６によりログイン画面の表示用データが受信されると、表示部２５にログイン画面が表示される。ログイン画面は、図示しないが、ユーザーＩＤ及びパスワードの入力欄が表示された画面である。検査予約情報の入力を行うには、パスワード入力欄に予約元パスワードを入力する必要がある。
【００５７】
操作部２４によりログイン画面からユーザーＩＤ及び予約元パスワードが入力されると、入力されたユーザーＩＤ及び予約元パスワードが通信部２６によりセンターサーバー１に送信される（ステップＳ３）。
【００５８】
センターサーバー１においては、通信部１６によりユーザーＩＤ及び予約元パスワードが受信されると、ログイン認証が実行される（ステップＳ４）。ログイン認証がＯＫであると判断されると、記憶部１３に記憶されている検査予約プログラムＰ２が起動され、端末装置２に表示されたＷｅｂ画面からの操作に従って予約元モードの検査予約サービスが提供される。この場合、ログインしたユーザーのユーザーＩＤ、予約元パスワード、端末装置２のＩＰアドレス等がＲＡＭ１２に記憶される。ログイン認証がＮＧである場合、ここでは図示していないが端末装置２にログイン認証がＮＧである旨が通信部１６を介して通知され、検査予約処理は終了する。
【００５９】
以下、センターサーバー１の検査予約プログラムＰ２に基づいてセンターサーバー１及び端末装置２で実行される処理について説明する。センターサーバー１側の処理は、センターサーバー１の制御部１１とＷｅｂサーバープログラムＰ１及び検査予約プログラムＰ２との協働により実行される。端末装置２側の処理は、端末装置２の制御部２１と、Ｗｅｂブラウザー２３１及びセンターサーバー１から提供されるスクリプトとの協働により実行される。
【００６０】
検査予約プログラムＰ２が起動されると、センターサーバー１においては、記憶部１３の予約管理テーブル１３３からログインユーザーのユーザーＩＤを「予約元医師ＩＤ」とする検査予約情報の検索が行われ、検索された検査予約情報を一覧表示する予約リスト画面２５１の表示用データが作成され、通信部１６により端末装置２に送信される（ステップＳ５）。
【００６１】
端末装置２においては、通信部２６により予約リスト画面２５１の表示用データが受信されると、表示部２５に予約リスト画面２５１が表示される（ステップＳ６）。
【００６２】
図６に、予約リスト画面２５１の一例を示す。図６に示すように、予約リスト画面２５１には、表示条件入力欄２５１ａ、リスト表示欄２５１ｂ、新規予約ボタン２５１ｃ、「内容を見る」ボタン２５１ｄ等が設けられている。表示条件入力欄２５１ａは、予約されている検査の数が多い場合等に、リスト表示する検査予約情報を絞り込むための条件を入力する欄である。リスト表示欄２５１ｂは、検査予約情報をリスト表示する欄である。新規予約ボタン２５１ｃは、新規予約登録への移行を指示するための操作ボタンである。「内容を見る」ボタン２５１ｄは、リストから選択された検査予約情報についての検査結果データを表示させるためのボタンである。
【００６３】
リスト表示欄２５１ｂには、予約先施設ＩＤ、予約先施設名称、医師名（予約先代表医師名）、患者氏名、性別、診療科、予約内容、予約日時、状態（ステータス）等の項目の検査予約情報の一覧が表示される。
状態（ステータス）は、予約された検査の現在の進捗状況（予約済み、受付済み、検査済み、返信済み、完了）を示す情報である。予約済みとは、センターサーバー１に予約登録された状態をさす。受付済みとは、患者が予約先施設に来院し、予約された検査に対して受付がなされた状態をさす。検査済みとは、検査が実施された状態をさす。返信済みとは、予約元施設での閲覧が許可された状態で検査結果データが予約先施設からセンターサーバー１に返信された状態をさす。完了とは、予約元施設において、予約された検査全ての検査結果データの閲覧まで完了したことをさす。
【００６４】
操作部２４により予約リスト画面２５１から新規予約ボタン２５１ｃが押下されると（ステップＳ７；ＹＥＳ）、新規予約登録の要求が通信部２６によりセンターサーバー１に送信される（ステップＳ８）。センターサーバー１においては、通信部１６により新規予約登録の要求が受信されると、予約初期画面（図示せず）の表示用データが作成され、通信部１６により端末装置２に送信される（ステップＳ９）。予約初期画面は、検査予約が可能な施設の一覧である予約可能施設一覧が表示された画面である。
【００６５】
端末装置２においては、通信部２６により予約初期画面の表示用データが受信されると、表示部２５に予約初期画面が表示される（ステップＳ１０）。表示部２５に表示された予約初期画面の予約可能施設一覧から操作部２４により予約先となる施設が選択されると、選択された施設の情報（施設ＩＤ、施設名等）が通信部２６によりセンターサーバー１に送信される（ステップＳ１１）。
【００６６】
センターサーバー１においては、通信部１６により、端末装置２からの予約先施設の情報が受信されると、選択された施設についての予約カレンダー画面２５２の表示用データが作成され、通信部１６により端末装置２に送信される（ステップＳ１２）。具体的には、記憶部１３の予約スケジュールテーブル１３４から、選択された施設の、予め定められた日付の（例えば、当日の）、予め定められた（例えば、先頭の）診療科の、予め定められた（例えば、先頭の）予約可能装置又は予約可能医師の予約スケジュール情報が読み出され、読み出された予約スケジュール情報に基づいて、予約カレンダー画面２５２の表示用データが作成される。
【００６７】
端末装置２においては、通信部２６により予約カレンダー画面２５２の表示用データが受信されると、表示部２５に予約カレンダー画面２５２が表示される（ステップＳ１３）。
【００６８】
図７に、予約カレンダー画面２５２の一例を示す。予約カレンダー画面２５２は、新規予約登録及び予約状況の確認のための予約時間枠が日付順に並べて表示されたカレンダー形式の予約画面である。
図７に示すように、予約カレンダー画面２５２には、予約先として選択された施設の施設情報表示欄２５２ａと、予約対象の診療科を選択するための診療科選択タブＴ１〜Ｔｎ（ｎは選択可能な診療科の個数）と、予約対象の装置又は医師を選択するための装置・医師選択ボタンＢ１〜Ｂｍ（ｍは選択可能な医師・装置の数）と、日付順に、選択された診療科の選択された装置又は医師の予約時間枠を表示するカレンダー欄２５２ｂと、が設けられている。新規予約登録の場合、カレンダー欄２５２ｂには、予約可能施設テーブル１３２において先頭に登録されている診療科の先頭の予約可能装置又は予約可能医師についての予約時間枠が表示される。操作部２４により診療科タブＴ１〜Ｔｎの何れかが選択されると、選択された診療科で予約可能な装置又は医師を選択するための装置・医師選択ボタンＢ１〜Ｂｍが表示される。装置・医師選択ボタンＢ１〜Ｂｍから予約対象の装置又は医師が選択されると、選択された装置又は医師についての予約時間枠がカレンダー欄２５２ｂに表示される。
【００６９】
カレンダー欄２５２ｂの予約時間枠においては、予約可能時間帯（予約可能な日時）、予約済みの時間帯、予約不可の時間帯が色等により区別されて表示されているので、予約可能な日時をユーザーが容易に把握することが可能である。カレンダー欄２５２ｂのスクロールバーを操作部２４により操作することで、所望の日時の予約時間枠をカレンダー欄２５２ｂに表示させることができる。表示されたカレンダー欄２５２ｂの予約したい日時の予約時間枠を操作部２４により選択操作（例えば、クリック）すると、検査予約情報の詳細を入力するための予約情報入力画面２５３がポップアップ表示される。
【００７０】
図８に、予約情報入力画面２５３の一例を示す。予約情報入力画面２５３は、他の医療施設の医師、装置を予約するにあたって必要な検査予約情報の詳細を入力するための操作画面であり、図８に示すように、予約の対象となる患者情報を入力するための患者基本情報入力欄２５３ａ、予約理由、必要な添付ファイル等を入力するための予約情報入力欄２５３ｂ、保険情報入力欄２５３ｃ、「予約実行」ボタン２５３ｄ等が設けられている。
【００７１】
操作部２４により予約情報入力画面２５３から必要事項が入力され、「予約実行」ボタン２５３ｄが押下されると、通信部２６によりセンターサーバー１に対し、予約カレンダー画面２５２から選択された情報（予約先の施設、診療科、医師又は装置、予約日時の情報）、予約元情報及び予約情報入力画面２５３から入力された情報からなる検査予約情報が送信される（ステップＳ１４）。
【００７２】
センターサーバー１においては、通信部１６により検査予約情報が受信されると、検査予約ＩＤが発行され、受信された検査予約情報に当該発行された検査予約ＩＤが付与されて予約管理テーブル１３３に登録されるとともに、予約スケジュールテーブル１３４において、予約された医師又は装置の予約された日時の日付時間帯枠に予約済みフラグ１が格納される（ステップＳ１５）。これにより、新規予約登録が完了する。
【００７３】
一方、ステップＳ７において、操作部２４により予約リスト画面２５１から新規予約ボタン２５１ｃが押下されず（ステップＳ７；ＮＯ）、リスト表示欄２５１ｂに表示された一覧から検査予約情報がダブルクリックされると（ステップＳ１６；ＹＥＳ）、通信部２６によりセンターサーバー１に対し、ダブルクリックにより選択された検査予約情報の検査予約ＩＤが送信されるとともに、選択された検査予約情報に係る予約カレンダー画面２５２の送信要求が行われる（ステップＳ１７）。ダブルクリックは、リスト表示欄２５１ｂに表示された一覧から検査予約情報を選択するとともに、選択された検査予約情報に係る予約カレンダー画面２５２の表示を指示する操作である。なお、検査予約情報の選択及び選択された検査予約情報に係る予約カレンダー画面２５２の表示を指示する操作としては、ダブルクリックに限定されるものではない。
【００７４】
センターサーバー１においては、通信部１６により端末装置２から検査予約ＩＤ及び予約カレンダー画面２５２の送信要求が受信されると、端末装置２において選択された検査予約情報についての予約時間枠がカレンダー欄２５２ｂに表示された状態の予約カレンダー画面２５２の表示用データが作成され、通信部１６により端末装置２に送信される（ステップＳ１８）。具体的には、まず、記憶部１３に記憶されている予約管理テーブル１３３において、端末装置２から受信された検査予約ＩＤを有する検査予約情報が検索され、検索された検査予約情報に含まれる予約先情報（予約先施設、診療科、予約内容（医師又は装置））に対応する予約スケジュール情報が予約スケジュールテーブル１３４から読み出される。そして、予約管理テーブル１３３において検索された検査予約情報の予約時間枠がカレンダー欄２５２ｂの予め定められた位置（例えば、先頭日付の中央）に選択状態で配置され、患者名や進捗状況のステータスを示すマーク等が表示された予約カレンダー画面２５２の表示用データが作成される。
【００７５】
端末装置２においては、通信部２６により予約カレンダー画面２５２の表示用データが受信されると、選択された検査予約情報についての予約時間枠が表示された状態の予約カレンダー画面２５２が表示部２５に表示される（ステップＳ１９）。
【００７６】
図９に、ステップＳ１６において予約リスト画面２５１から選択された（ダブルクリックされた）検査予約情報と、ステップＳ１９において表示される予約カレンダー画面２５２の対応関係を示す。
図９に示すように、ステップＳ１９で表示される予約カレンダー画面２５２の施設情報表示欄２５２ａには、ステップＳ１６において選択された検査予約情報の予約先施設についての情報が表示される。診療科選択タブＴ１〜Ｔｎは、ステップＳ１６において選択された検査予約情報における予約先の診療科が選択された状態となっている。装置・医師選択ボタンＢ１〜Ｂｍは、選択された検査予約情報の予約内容の装置又は医師が選択された状態となっている。また、カレンダー欄２５２ｂには、選択された検査予約情報の予約日時の予約時間枠が表示された状態で表示される。選択された検査予約情報の予約時間枠は選択状態で強調されて表示されるとともに、その枠内に患者名や現在の検査状況ステータスが表示される。
【００７７】
なお、操作部２４によりカレンダー欄２５２ｂから予約可の予約時間枠が選択（例えば、クリック）されると、図８に示した予約情報入力画面２５３がポップアップ表示される。操作部２４により予約詳細情報を入力して予約実行ボタン２５３ｄを押下することで、上述の新規予約登録の処理と同様に新規予約を行うことができる。また、操作部２４によりカレンダー欄２５２ｂから予約済みの予約時間枠が選択されると、選択された時間帯に予約されている検査の予約詳細情報画面がポップアップ表示される。予約詳細情報画面は、予約情報入力画面２５３と同様のレイアウトの画面であり、選択された時間帯に予約されている検査の検査予約情報の詳細が表示される。
【００７８】
このように、予約カレンダー画面２５２は、予約リスト画面２５１のリストから選択された検査予約情報と関連付けられた状態で、具体的には、選択された検査予約情報の予約時間枠が表示・選択された状態で表示される。従って、既に予約されている検査と同一施設の同一診療科の同一装置又は医師に対して近い日時で予約を行いたい場合や、既に予約されている検査の予約詳細情報を確認したいような場合に、カレンダー欄２５２ｂにその検査の予約時間枠を表示するために、従来のようにその検査の予約日時、施設、診療科、装置や医師等を記憶して、その記憶を頼りに、操作部２４によるタブやボタンの選択操作、スクロール操作等を行うといった煩雑な操作を行う必要がなくなり、新規予約登録及び予約状況確認に対する操作性、利便性が向上する。
【００７９】
なお、ステップＳ１９において表示される予約カレンダー画面２５２には、図９に示すように、予約カレンダー画面２５２の表示形態をユーザーが選択するためのボタンＢ１１〜Ｂ１３が設けられている。「装置・医師毎」ボタンＢ１１は、図９に示す表示態様の予約カレンダー画面２５２、即ち、リスト上から選択された検査予約情報で予約先として指定されている装置又は医師に対する一又は複数日付の予約時間枠を表示する画面を選択するための操作ボタンである。「日単位」ボタンＢ１２は、選択された検査予約情報において予約先として指定されている医療施設の、予約可能な装置又は医師毎の予約時間枠を日付単位で一覧表示した画面（図１０参照）を選択するための操作ボタンである。「病院またぎ」ボタンＢ１３は、選択された検査予約情報において予約先として指定されている診療科及び検査装置に対する予約時間枠を医療施設を跨いで一覧表示した画面（図１１参照）を選択するための操作ボタンである。
【００８０】
なお、「日単位」ボタンＢ１２が選択されると、通信部２６によりセンターサーバー１に予約カレンダー画面２５２の図１０に示す表示態様の画面への表示切替要求が送信される。センターサーバー１においては、通信部１６により端末装置２からの図１０に示す表示態様の画面の表示切替要求が受信されると、記憶部１３に記憶されている予約管理テーブル１３３及び予約スケジュールテーブル１３４に基づいて、図１０に示す予約カレンダー画面２５２の表示用データが作成され、通信部１６により端末装置２に送信される。端末装置２においては、図１０に示す態様の予約カレンダー画面２５２が表示される。
「病院またぎ」ボタンＢ１３が選択されると、通信部２６によりセンターサーバー１に予約カレンダー画面２５２の図１１に示す表示態様の予約カレンダー画面への表示切替要求が送信される。センターサーバー１においては、通信部１６により端末装置２からの図１１に示す表示態様の予約カレンダー画面への表示切替要求が受信されると、記憶部１３に記憶されている予約管理テーブル１３３及び予約スケジュールテーブル１３４に基づいて、図１１に示す予約カレンダー画面２５２の表示用データが作成され、通信部１６により端末装置２に送信される。端末装置２においては、図１１に示す態様の予約カレンダー画面２５２が表示される。
【００８１】
図１０に示す画面では、選択された検査予約情報で予約先として指定されている医療施設で予約可能な装置又は医師毎の予約時間枠を一覧にしたカレンダー欄２５２ｂが表示されているので、既に予約されている患者に対してその予約日に同じ施設で新たな検査予約を追加するような場合等に、より容易に予約登録を行うことが可能となる。
図１１に示す画面では、選択された検査予約情報において予約先として指定されている診療科及び検査装置に対する予約時間枠を医療施設を跨いで一覧にしたカレンダー欄２５２ｂが表示されているので、例えば、複数施設の予約状況を確認しながら新たな予約を行うことが可能となる。
【００８２】
なお、図９〜図１１の何れの予約カレンダー画面２５２を最初に表示するかは、ユーザーニーズに応じて、予め端末装置２からのセンターサーバー１に設定できるようにしてもよい。また、ステップＳ１３で予約カレンダー画面２５２を表示する場合においても、上記のボタンＢ１１〜Ｂ１３を表示し、ユーザーニーズに応じて予約カレンダー画面２５２の表示形態をユーザーが選択できるようにすることが好ましい。
【００８３】
操作部２４による操作に応じて表示された予約情報入力画面２５３から必要事項が入力され、「予約実行」ボタン２５３ｄが押下されると、通信部２６によりセンターサーバー１に対し、予約カレンダー画面２５２から選択された情報（予約先の施設、診療科、医師又は装置、予約日時の情報）及び予約情報入力画面２５３から入力された情報からなる検査予約情報が送信される（ステップＳ２０）。
【００８４】
センターサーバー１においては、通信部１６により検査予約情報が受信されると、検査予約ＩＤが発行され、受信された検査予約情報に当該発行された検査予約ＩＤが付与されて予約管理テーブル１３３に登録されるとともに、予約スケジュールテーブル１３４において、予約された医師、装置の予約された日時の日付時間帯枠に予約済みフラグ１が格納される（ステップＳ２１）。これにより、新規予約登録が完了する。
【００８５】
一方、ステップＳ１６において、操作部２４によりリスト表示欄２５１ｂに表示された一覧から検査予約情報がダブルクリックされずに（ステップＳ１６；ＮＯ）、検査予約情報が選択され、「内容を見る」ボタン２５２ｄが押下されると（ステップＳ２２：ＹＥＳ）、通信部２６によりセンターサーバー１に対し選択された検査予約情報の検査予約ＩＤが送信され、当該検査予約情報に対応する検査結果データの送信が要求される（ステップＳ２３）。
【００８６】
センターサーバー１においては、通信部１６により検査予約ＩＤ及び当該検査予約ＩＤで識別される検査予約情報に対応する検査結果データの送信要求が受信されると、受信された検査予約ＩＤに基づいて記憶部１３から検査結果データが読み出される。具体的には、受信された検査予約ＩＤを有するレコードが予約管理テーブル１３３から検索され、検索されたレコードのフォルダパスに格納されている検査結果データが読み出される。そして、読み出された検査結果データとこれに対応する検査予約情報を表示する画面である検査結果画面の表示用データが作成され、通信部１６により端末装置２に送信される（ステップＳ２４）。
【００８７】
端末装置２においては、通信部２６により検査結果画面の表示用データが受信されると、表示部２５に検査結果画面が表示される（ステップＳ２５）。検査結果画面は、図１４  に示す画面と略同様の画面であり、検査予約情報及びこれに対応する検査で得られた検査結果データ、例えば、医用画像やその医用画像に対して医師により作成された読影レポートが表示される。
【００８８】
上記検査予約処理によって、予約元施設は、検査予約サービスに加盟している他の医療施設に検査予約を行って、その検査結果データを閲覧することができる。
【００８９】
〔検査予約システム１００における動作（予約先モード）〕
次に、図１２Ａ〜図１２Ｂを参照して、予約先モードにおける予約先施設の各装置及びセンターサーバー１の動作について説明する。図１２Ａ〜図１２Ｂは、検査予約システム１００の各装置間における処理の流れを示す図である。
【００９０】
図１２Ａ〜図１２Ｂにおけるセンターサーバー１における動作は、制御部１１とＷｅｂサーバープログラムＰ１及び検査予約プログラムＰ２との協働により実行される。端末装置４における動作は、制御部４１とＷｅｂブラウザー４３１との協働により実行される。連携ＧＷ５における動作は、制御部５１と記憶部５３に記憶されているプログラムとの協働により実行される。医事会計装置６、オーダー生成装置７、モダリティ８、ＰＡＣＳ９における動作は、それぞれの装置の制御部とプログラムとの協働により実行される。
【００９１】
以下の説明では、既に端末装置４からセンターサーバー１に予約先モードでログインが行われ、表示部４５に予約先モードでログインした場合に表示される初期画面である受付リスト画面４５１（図１３Ａ参照）が表示されていることとして説明する。
【００９２】
ここで、受付リスト画面４５１は、図１３Ａに示すように、表示条件入力欄４５１ａ、リスト表示欄４５１ｂ、「予約詳細」ボタン４５１ｃ、「内容を見る」ボタン４５１ｄ、「予約一覧」ボタン４５１ｅ等が設けられている。表示条件入力欄４５１ａは、予約されている検査の数が多い場合等に、リスト表示する検査予約情報を絞り込むための条件を入力する欄である。通常、当日に予約されている検査の検査予約情報を条件とする運用となっている。リスト表示欄４５１ｂは、当院に予約されている検査の検査予約情報をリスト表示する欄である。「予約詳細」ボタン４５１ｃは、リストから選択された検査予約情報の詳細を表示させるためのボタンである。「内容を見る」ボタン４５１ｄは、検査結果データの確認画面４５３の送信をセンターサーバー１に要求するためのボタンである。「予約一覧」ボタン４５１ｅは、予約可能な装置、医師毎の予約時間枠の表示画面を表示させるためのボタンである。
ここで、「予約一覧」ボタン４５１ｅが押下されることにより表示される装置、医師毎の予約時間枠の中から予約不可能な日時を操作部４４により選択し、図示しない予約不可ボタンを押下することで、選択された医師又は装置の選択された日時の予約を外部から受け付けないようにすることができる。即ち、医師毎の予約時間枠の中から予約不可能な日時が操作部４４により選択され、図示しない予約不可ボタンが押下されると、その装置又は医師については選択された日時は予約不可であることを示す情報が通信部４６によりセンターサーバー１に送信される。センターサーバー１においては、予約スケジュールテーブル１３４の該当する装置又は医師の該当する日付時間帯枠に予約不可フラグ２が設定される。
【００９３】
「予約詳細」ボタン４５１ｃが押下されると、図１３Ｂに示すように、検査予約情報画面４５２がポップアップ表示される。検査予約情報画面４５２には、検査予約情報が表示されているほか、「受付」ボタン４５２ａが設けられている。
【００９４】
患者が来院すると、オペレータは操作部４４により受付リスト画面４５１からその患者についての検査予約情報を選択し、「予約詳細」ボタン４５１ｃを押下してその患者の検査予約情報の詳細を検査予約情報画面４５２に表示させる。検査予約情報の内容を確認後、「受付」ボタン４５２ａを押下する。
【００９５】
端末装置４においては、操作部４４により検査予約情報が選択され、「受付」ボタン４５２ａが押下されることによりその検査予約情報の受付が実行されると（ステップＳ１０１）、受付が実行された検査予約情報が通信部４６によりセンターサーバー１及び連携ＧＷ５に通知される（ステップＳ１０２）。
【００９６】
センターサーバー１においては、受付が実行された検査予約情報が通信部１６により受信されると、当該検査予約情報のレコードが予約管理テーブル１３３から検索され、「ステータス」が受付済みに更新される（ステップＳ１０３）。
【００９７】
連携ＧＷ５においては、受付実行された検査予約情報が通信部５６により受信されると、受信された検査予約情報がＲＡＭ５２に一時保存されるとともに、受信された検査予約情報の検査予約ＩＤが記憶部５３のＩＤ対応付けテーブル５３１に記憶される（ステップＳ１０４）。
【００９８】
次いで、受信された検査予約情報のうち、患者氏名、性別、生年月日等の患者情報が通信部５６により医事会計装置６に送信され、この患者情報に合致する施設内システム１０Ｂにおける患者情報（以下、院内患者情報と呼ぶ）の検索要求が行われる（ステップＳ１０５）。
医事会計装置６においては、通信部により連携ＧＷ５から患者情報及び患者ＩＤの検索要求が受信されると、受信された患者情報に合致する院内患者情報が患者情報ＤＢから検索され、連携ＧＷ５に送信される（ステップＳ１０６）。例えば、患者ＩＤ、患者氏名、性別、生年月日等の院内患者情報が連携ＧＷ５に送信される。受信された患者情報に合致する院内患者情報が患者情報ＤＢにおいて検索されない場合は、受信された患者情報に対して患者ＩＤが発行され、院内患者情報として患者ＤＢに記憶される。
【００９９】
連携ＧＷ５においては、医事会計装置６から院内患者情報が受信されると、通信部５６によりオーダー生成装置７に対して患者ＩＤ、患者氏名、性別、生年月日、装置・医師情報、検査予約ＩＤ等の情報が送信され、検査オーダー情報の発行が依頼される（ステップＳ１０７）。
オーダー生成装置７においては、連携ＧＷ５からの検査オーダー情報の発行依頼が受信されると、受信された患者ＩＤ、患者氏名、性別、生年月日、装置・医師情報等の情報に院内オーダーＩＤが付与されて検査オーダー情報が生成され、通信部により装置・医師情報に応じたモダリティ８に送信される（ステップＳ１０８）。院内オーダーＩＤは、検査オーダー情報を識別するためのＩＤである。なお、検査予約情報に複数の装置・医師情報が含まれている場合は、各装置・医師情報に応じたモダリティ８のそれぞれに検査オーダー情報が送信される。また、発行された検査オーダー情報の院内オーダーＩＤが検査予約ＩＤに対応付けて通信部５６により連携ＧＷ５に通知される（ステップＳ１０９）。
【０１００】
連携ＧＷ５においては、通信部５６により院内オーダーＩＤ情報及び検査予約ＩＤが受信されると、受信された院内オーダーＩＤが検査予約ＩＤと対応付けてＩＤ対応付けテーブル５３１に記憶される（ステップＳ１１０）。
【０１０１】
一方、モダリティ８においては、オーダー生成装置７から検査オーダー情報が受信されると、検査オーダー情報に基づいて検査（撮影）が行われ、医用画像データが取得される（ステップＳ１１１）。撮影により得られた医用画像データには、患者ＩＤ、患者氏名、性別、生年月日、院内オーダーＩＤ、装置・医師情報等の付帯情報が付帯され、通信部によりＰＡＣＳ９に送信される（ステップＳ１１２）。
【０１０２】
ＰＡＣＳ９においては、医用画像データが受信されると、受信された医用画像データが院内オーダーＩＤ、患者ＩＤ等に対応付けて検索可能に記憶部に記憶される（ステップＳ１１３）。また、図示しない読影端末より当該医用画像データに対する読影レポートが受信されると、受信された読影レポートが院内オーダーＩＤにより医用画像データと対応付けて記憶部に記憶される（ステップＳ１１４）。なお、読影レポートにおいても患者ＩＤ、患者氏名、性別、生年月日、院内オーダーＩＤ、装置・医師情報等の付帯情報が付帯される。
【０１０３】
連携ＧＷ５においては、通信部５６により、所定時間毎にＰＡＣＳ９に対してステップＳ１１０で通知された院内オーダーＩＤが送信され、当該院内オーダーＩＤの検査についての検査結果データの検索指示が送信される（ステップＳ１１５）。
なお、ステップＳ１１５の処理を行うに際し、連携ＧＷ５は、センターサーバー１に検査予約ＩＤを送信してステータスの確認を行う。検査予約ＩＤの全てのステータスが「完了」となるまで、ステップＳ１１５の処理は繰り返し実行される。センターサーバー１から「完了」が通知された検査予約ＩＤについては、ＩＤ対応付けテーブル５３１の「完了フラグ」欄に完了フラグがセットされ、図１２Ａ〜図１２Ｂに示す処理は終了する。
【０１０４】
ＰＡＣＳ９においては、連携ＧＷ５から受信された院内オーダーＩＤに対応する検査結果データ（医用画像データ、読影レポート）の記憶部からの検索が行なわれ、検索された検査結果データが通信部により連携ＧＷ５に送信される（ステップＳ１１６）。
【０１０５】
連携ＧＷ５においては、通信部５６により検査結果データが受信されると、受信された検査結果データに付帯されている院内オーダーＩＤに対応する検査予約ＩＤがＩＤ対応付けテーブル５３１から検索される（ステップＳ１１７）。そして、検索された検査予約ＩＤと検査結果データが対応付けられて通信部５６によりセンターサーバー１に送信される（ステップＳ１１８）。
【０１０６】
センターサーバー１においては、通信部１６により検査予約ＩＤ及び検査結果データが受信されると、予約管理テーブル１３３から当該検査予約ＩＤの検査予約情報のレコードが検索され、検査結果データを格納するためのフォルダパスが取得される。そして、取得されたフォルダパスに受信された検査結果データが格納される（ステップＳ１１９）。また、予約管理テーブル１３３の、検査結果データに付帯されている検査予約情報の「ステータス」が“検査済み”に更新される（ステップＳ１２０）。
【０１０７】
ここで、上述のように、検査結果データがＰＡＣＳ９に格納されると、自動的に連携ＧＷ５により検査結果データがセンターサーバー１に格納される。しかし、例えば、医用画像データのポジショニングが悪かった、撮影時に体動があって診断できる画像ではなかった等、検査結果データが診断に適さない場合もある。そこで、センターサーバー１においては、検査結果データを受信した段階では予約元施設には検査結果データを公開しないこととし、予約先施設からの予約元施設への検査結果データの送信指示によって、予約元施設が検査結果データを閲覧できるようにしている。この送信指示は、端末装置４から以下のようにして行うことができる。
【０１０８】
端末装置４において、操作部４４により受付リスト画面４５１のリストから検査済みの検査予約情報が選択され、「内容を見る」ボタン４５１ｄが押下されると、通信部２６によりセンターサーバー１に対し選択された検査予約情報の検査予約ＩＤが送信され、当該検査予約情報に対応する検査結果データの確認画面４５３の送信が指示される（ステップＳ１２１）。
【０１０９】
センターサーバー１においては、通信部１６により検査予約ＩＤ及び当該検査ＩＤで識別される検査予約情報に対応する検査結果データの確認画面４５３の送信指示が受信されると、受信された検査予約ＩＤに基づいて記憶部１３から検査結果データが読み出される。具体的には、受信された検査予約ＩＤを有するレコードが予約管理テーブル１３３から検索され、検索されたレコードのフォルダパスに格納されている検査結果データが読み出される。そして、読み出された検査結果データを表示する確認画面４５３の表示用データが作成され、通信部１６により端末装置４に送信される（ステップＳ１２２）。
【０１１０】
端末装置４においては、通信部４６により確認画面４５３の表示用データが受信されると、確認画面４５３が表示部４５に表示される（ステップＳ１２３）。
図１４に確認画面４５３の一例を示す。確認画面４５３には、図１４に示すように、検査結果表示欄４５３ａ、「送信」ボタン４５３ｂ、検査予約情報表示欄４５３ｃ等が設けられている。検査結果表示欄４５３ａは、検査結果データを表示するための欄である。「送信ボタン」４５３ｂは、検査結果データを予約元施設に送信（返信）する指示を入力するためのボタンである。検査結果データを予約元施設に送信するとは、予約元施設から検査結果を閲覧可能な状態にすることをさす。検査予約情報表示欄４５３ｃは、表示されている検査結果データに対応する検査予約情報を表示する欄である。
【０１１１】
操作部４４により「送信」ボタン４５２ｂが押下されると、通信部４６によりセンターサーバー１に対し検査予約ＩＤが送信され、この検査予約ＩＤに対応する検査結果データの予約元施設への送信が指示される（ステップＳ１２４）。
センターサーバー１においては、通信部１６により検査予約情報を識別する情報及び検査結果データの予約元施設への送信指示が受信されると、当該検査予約情報のレコードが予約管理テーブル１３３から検索され、「ステータス」が“返信済み”に更新される（ステップＳ１２５）。
【０１１２】
予約元施設の端末装置２においては、上述のように、予約リスト画面２５１において検査予約情報が選択され、「内容を見る」ボタン２５２ｄが押下されると、選択された検査予約の検査予約ＩＤ（装置・医師単位で表示された場合は、装置・医師情報を含む）及び検査結果データの送信指示がセンターサーバー１に送信される。センターサーバー１においては、送信が指示された検査結果データを表示するための検査結果画面の表示用データが作成され、端末装置２に送信される。また、受信された検査予約ＩＤの検査予約情報（装置・医師情報が含まれる場合は、その検査予約情報の装置・医師情報）のステータスが「完了」に更新される。
【０１１３】
以上説明したように、検査予約システム１００によれば、センターサーバー１の制御部１１は、予約元の端末装置２において予約リスト画面２５１から検査予約情報が選択され検査の予約画面の送信が要求された場合に、記憶部１３の予約スケジュールテーブル１３４に記憶されている予約スケジュール情報に基づいて、端末装置２において選択された検査予約情報における予約日時の、選択された検査予約情報において予約先として指定されている検査装置又は医師に対する予約時間枠が表示された状態の予約カレンダー画面２５２を作成し端末装置２に送信する。
【０１１４】
従って、端末装置２においては、予約リスト画面２５１のリストから選択された検査予約情報の予約時間枠が表示・選択された状態で予約カレンダー画面２５２が表示されるので、既に予約登録した検査に基づいて検査を予約したいような場合や、既に予約されている検査の予約詳細情報を確認したいような場合に、従来のようにカレンダー欄２５２ｂにその検査の予約時間枠を表示するために、操作者がその検査の予約日時、施設、診療科、装置や医師等を記憶して、その記憶を頼りに、操作部２４によるタブやボタンの選択操作、スクロール操作等を行うといった煩雑な操作を行う必要がなくなり、操作性を向上させることができる。
【０１１５】
予約カレンダー画面２５２は、図９に示すように、検査リスト画面２５１から選択された検査予約情報において予約先として指定されている検査装置又は医師に対する一又は複数日付の予約時間枠を表示する画面であるので、既に予約されている検査と同一施設の同一装置又は医師に対して近い日時で予約を行いたい場合や、既に予約されている検査の予約詳細情報を確認したいような場合に、容易な操作で予約登録や予約確認を行うことが可能となる。
【０１１６】
また、予約カレンダー画面２５２を、図１０に示すように、検査リスト画面２５１から選択された検査予約情報において予約先として指定されている医療施設の、予約可能な検査装置又は医師に対する予約時間枠を日付単位で一覧表示する画面とすることで、例えば、既に予約されている患者に対してその予約日に同じ施設で新たな検査予約を追加するような場合に、より容易な操作で予約登録を行うことが可能となる。
【０１１７】
また、予約カレンダー画面２５２を、図１１に示すように、検査リスト画面２５１から選択された検査予約情報において予約先として指定されている診療科及び検査装置に対する予約時間枠を医療施設を跨いで一覧表示する画面とすることで、例えば、複数施設の予約状況を確認しながら新たな予約を行うことが可能となる。
【０１１８】
また、デフォルトの予約カレンダー画面２５２に、「医師、装置毎」ボタンＢ１１、「日単位」ボタンＢ１２、「病院またぎ」ボタンＢ１３を表示し、予約カレンダー画面２５２の表示態様を図９〜図１１の何れかから選択された操作ボタンに応じた表示態様の予約カレンダー画面２５２を表示するように構成することで、ユーザーニーズに応じた表示態様の予約カレンダー画面２５２を表示することが可能となる。
【０１１９】
また、端末装置２から新規予約登録の要求が受信された場合は、センターサーバー１は、記憶部１３の予約可能施設テーブル１３２に記憶されている施設情報に基づいて、検査予約可能な医療施設の一覧を作成して端末装置２に送信し、端末装置２から選択された医療施設に係る予め定められた日付（例えば、当日）の予め定められた検査装置又は医師に対する予約時間枠が表示された予約カレンダー画面２５２を端末装置２に送信する。従って、新規予約登録を行う場合には、新規予約登録に適した予約カレンダー画面をユーザーに提供することが可能となる。
【０１２０】
なお、上記実施の形態における記述内容は、本発明の好適な一例であり、これに限定されるものではない。
【０１２１】
例えば、上記の説明では、本発明に係るプログラムのコンピュータ読み取り可能な媒体としてＨＤＤや半導体の不揮発性メモリ等を使用した例を開示したが、この例に限定されない。その他のコンピュータ読み取り可能な媒体として、ＣＤ-ＲＯＭ等の可搬型記録媒
体を適用することが可能である。また、本発明に係るプログラムのデータを通信回線を介して提供する媒体として、キャリアウエーブ(搬送波)も適用される。
【０１２２】
その他、検査予約システム１００を構成する各装置の細部構成及び細部動作に関しても、発明の趣旨を逸脱することのない範囲で適宜変更可能である。
【符号の説明】
【０１２３】
１００  検査予約システム
１０Ａ、１０Ｂ  施設内システム
１  センターサーバー
１１  制御部
１２  ＲＡＭ
１３  記憶部
Ｐ１  Ｗｅｂサーバープログラム
Ｐ２  検査予約プログラム
１３１  ユーザー管理テーブル
１３２  予約可能施設テーブル
１３３  予約管理テーブル
１３４  予約スケジュールテーブル
１４  操作部
１５  表示部
１６  通信部
１７  計時部
１８  バス
２  端末装置
２１  制御部
２２  ＲＡＭ
２３  記憶部
２３１  Ｗｅｂブラウザー
２４  操作部
２５  表示部
２５１  予約リスト画面
２５２  予約カレンダー画面
２５３  予約情報入力画面
２６  通信部
２７  計時部
２８  印刷部
２９  バス
３  医事会計装置
４  端末装置
５  連携ＧＷ
６  医事会計装置
７  オーダー生成装置
８  モダリティ
９  ＰＡＣＳ
Ｎ  インターネット
ＬＮ１  施設内ネットワーク
ＬＮ２  施設内ネットワーク
【図１】
0005720588.tif 000002
【図２】
0005720588.tif 000003
【図３】
0005720588.tif 000004
【図４】
0005720588.tif 000005
【図５Ａ】
0005720588.tif 000006
【図５Ｂ】
0005720588.tif 000007
【図６】
0005720588.tif 000008
【図７】
0005720588.tif 000009
【図８】
0005720588.tif 000010
【図９】
0005720588.tif 000011
【図１０】
0005720588.tif 000012
【図１１】
0005720588.tif 000013
【図１２Ａ】
0005720588.tif 000014
【図１２Ｂ】
0005720588.tif 000015
【図１３Ａ】
0005720588.tif 000016
【図１３Ｂ】
0005720588.tif 000017
【図１４】
0005720588.tif 000018